(57)【要約】【課題】放送される複数番組の同時録画においてチャンネル設定を容易にする映像録画装置及び映像録画方法を提供する。【解決手段】視聴可能な地上波デジタル放送局のチャンネルを自動的に設定する初期スキャン処理を実施する初期スキャン処理手段と、該設定された地上波デジタル放送局のチャンネルを、同一時間帯に放送されている複数の番組の並列録画機能の録画対象のチャンネルの設定に用いるチャンネル設定手段と、該設定されたチャンネルの録画対象を録画する録画手段とを備えたことを特徴とする映像録画装置。【選択図】  図２
2011044929.tif 000002
【特許請求の範囲】
【請求項１】
視聴可能な地上波デジタル放送局のチャンネルを自動的に設定する初期スキャン処理を
実施する初期スキャン処理手段と、
該設定された地上波デジタル放送局のチャンネルを、同一時間帯に放送されている複数
の番組の並列録画機能の録画対象のチャンネルの設定に用いるチャンネル設定手段と、
該設定されたチャンネルの録画対象を録画する録画手段とを
備えたことを特徴とする映像録画装置。
【請求項２】
前記チャンネル設定手段は、前記同一時間帯に放送されている複数の番組の並列録画機
能の録画対象のチャンネルを設定する際、電子番組表における放送局の並び順に従って前
記録画対象のチャンネルを設定することを特徴とする請求項１に記載の映像録画装置。
【請求項３】
前記チャンネル設定手段は、前記同一時間帯に放送されている複数の番組の並列録画機
能の録画対象のチャンネルを設定する際、各放送局の代表チャンネルを選択して設定する
ことを特徴とする請求項１または請求項２に記載の映像録画装置。
【請求項４】
前記チャンネル設定手段は、前記同一時間帯に放送されている複数の番組の並列録画機
能の録画対象のチャンネルの設定可能数がある決められた数である場合に、前記請求項１
ないし請求項３に記載された手順を実施して設定される前記並列録画機能の録画対象のチ
ャンネル数が前記決められた数を下回る際には、各放送局の代表チャンネル以外のチャン
ネルも前記並列録画機能の録画対象のチャンネルとして設定することを特徴とする請求項
１ないし請求項３に記載の映像録画装置。
【請求項５】
前記チャンネル設定手段は、前記同一時間帯に放送されている複数の番組の並列録画機
能の録画対象のチャンネルの設定可能数がある決められた数である場合に、前記請求項１
ないし請求項３に記載された手順を実施して設定される前記並列録画機能の録画対象のチ
ャンネル数が前記決められた数を上回る際には、映像録画装置のリモコンのチャンネルボ
タンに登録されている放送局のチャンネルを前記並列録画機能の録画対象のチャンネルと
して設定することを特徴とする請求項１ないし請求項３に記載の映像録画装置。
【請求項６】
更に地上波デジタル放送を選局するチューナーを備えた請求項１ないし請求項５に記載
の映像録画装置。
【請求項７】
視聴可能な地上波デジタル放送局のチャンネルを自動的に設定する初期スキャン処理を
実施し、該設定された地上波デジタル放送局のチャンネルを、同一時間帯に放送されてい
る複数の番組の並列録画機能の録画対象のチャンネルの設定に用い、該設定されたチャン
ネルの録画対象を録画することを特徴とする映像録画方法。
【発明の詳細な説明】
【技術分野】
【０００１】
本発明は、映像録画装置及び映像録画方法に係わり、特に複数番組の同時録画機能を有
する映像録画技術に関する。
【背景技術】
【０００２】
映像録画装置において複数の放送局から同一時間帯に放送されている複数の番組を並行
して同時に録画する機能、いわゆるマルチ同時録画機能を有する映像録画装置が提案され
ている。例えば特許文献１に記載されているものは、概要として放送受信記録再生装置で
、デジタル放送の全てのチャンネル(数百チャンネル)を同時に受信して全ての番組を一定
時間分(1週間分)番組記録部に記録し、再生する。
【０００３】
しかしながらチューナー数が限定されている一般の機器で本機能を使用する場合、最初
に録画の対象となる放送局のチャンネルを設定する必要があるが、放送局の数が多数に渡
り、設定処理が煩雑であるという問題点がある。
【先行技術文献】
【特許文献】
【０００４】
【特許文献１】特開２００８−１０９４５３号公報
【発明の概要】
【発明が解決しようとする課題】
【０００５】
本発明は、放送される複数番組の同時録画においてチャンネル設定を容易にする技術を
提供することを目的とする。
【課題を解決するための手段】
【０００６】
上記課題を解決するために、本発明の映像録画装置は、視聴可能な地上波デジタル放送
局のチャンネルを自動的に設定する初期スキャン処理を実施する初期スキャン処理手段と
、該設定された地上波デジタル放送局のチャンネルを、同一時間帯に放送されている複数
の番組の並列録画機能の録画対象のチャンネルの設定に用いるチャンネル設定手段と、該
設定されたチャンネルの録画対象を録画する録画手段とを備えたことを特徴とする。
【発明の効果】
【０００７】
本発明によれば、放送される複数番組の同時録画においてチャンネル設定を容易にする
映像録画装置及び映像録画方法が得られる。
【図面の簡単な説明】
【０００８】
【図１】本発明の実施形態に係わる映像録画装置のブロック図。
【図２】実施形態の地上波デジタル放送のチャンネル初期スキャン時に同時に実施するマルチ同時録画機能のチャンネル設定のフローチャート。
【図３】実施形態のマルチ同時録画機能の利用設定画面の図。
【図４】実施形態のマルチ同時録画機能のチャンネル設定画面の図。
【図５】実施形態２のマルチ同時録画機能のチャンネル設定のフローチャート。
【図６】実施形態２のマルチ同時録画機能のチャンネル設定の場合のマルチ同時録画機能のチャンネル設定画面の図。
【図７】実施形態３のマルチ同時録画機能のチャンネル設定のフローチャート。
【図８】実施形態３のマルチ同時録画機能のチャンネル設定の場合のマルチ同時録画機能のチャンネル設定画面の図。
【発明を実施するための形態】
【０００９】
以下、本発明の実施形態を説明する。
（実施形態１）
本発明による実施形態１を図１乃至図４を参照して説明する。
図１は、この発明を適用した映像録画装置を内蔵したテレビジョン装置の実施の一形態
を示すブロック図である。この実施例では、記録媒体としてハードディスクを搭載した装
置として示しているが、これは例えば半導体メモリによる記録媒体などに置換されてもよ
い。
【００１０】
地上波放送受信用のアンテナ１０１で受信した地上デジタルテレビジョン放送信号は、
入力端子１０２を介して地上デジタル放送用のチューナー１０３に供給される。
【００１１】
地上デジタルチューナー１０３は、制御部１２１からの制御信号により、所望のチャン
ネルの放送信号を選局し、この選局された放送信号をＯＦＤＭ（Ｏｒｔｈｏｇｏｎａｌ  
Ｆｒｅｑｕｅｎｃｙ  Ｄｉｖｉｓｉｏｎ  Ｍｕｌｔｉｐｌｅｘｉｎｇ）デコーダー１０４
に出力する。
【００１２】
ＯＦＤＭデコーダー１０４は、制御部１２１からの制御信号により、チューナー１０３
で選局された放送信号を復調し、所望の番組を含んだＭＰＥＧ２のトランスポートストリ
ーム（ＭＰＥＧ２−ＴＳ）を得て、ＴＳデコーダー１０５に出力する。
【００１３】
ＴＳデコーダー１０５は、制御部１２１からの制御信号により、トランスポートストリ
ーム多重化された信号のＴＳ復号処理を行い、所望の番組のデジタル映像信号および音声
信号をデパケットすることによって得られたＰＥＳ（Ｐａｃｋｅｔｉｚｅｄ  Ｅｌｅｍｅ
ｎｔａｒｙ  Ｓｔｒｅａｍ）を信号処理部１１１へ出力する。また、ＴＳデコーダー１０
５は、ＴＳ復号処理によって得られたセクション情報も信号処理部１１１へ出力する。
【００１４】
一方、ＢＳ／ＣＳ放送受信用のアンテナ１０６で受信した衛星デジタルテレビジョン放
送信号は、入力端子１０７を介してＢＳ／ＣＳデジタル放送用のチューナー１０８に供給
される。
【００１５】
ＢＳ／ＣＳデジタルチューナー１０８は、制御部１２１からの制御信号により、所望のチ
ャンネルの放送信号を選局し、この選局された放送信号をＰＳＫ（Ｐｈａｓｅ  Ｓｈｉｆ
ｔ  Ｋｅｙｉｎｇ）デコーダー１０９に出力する。
【００１６】
ＰＳＫデコーダー１０９は、制御部１２１からの制御信号により、チューナー１０８で
選局された放送信号を復調し、所望の番組を含んだＭＰＥＧ２のトランスポートストリー
ム（ＭＰＥＧ２−ＴＳ）を得て、ＴＳデコーダー１１０に出力する。
【００１７】
ＴＳデコーダー１１０は、制御部１２１からの制御信号により、トランスポートストリ
ーム多重化された信号のＴＳ復号処理を行い、所望の番組のデジタル映像信号および音声
信号をデパケットすることによって得られたＰＥＳ（Ｐａｃｋｅｔｉｚｅｄ  Ｅｌｅｍｅ
ｎｔａｒｙ  Ｓｔｒｅａｍ）を信号処理部１１１へ出力する。また、ＴＳデコーダー１１
０は、ＴＳ復号処理によって得られたセクション情報も信号処理部１１１へ出力する。
【００１８】
ここで、上記信号処理部１１１は、テレビ視聴時には、ＴＳデコーダー１０５およびＴ
Ｓデコーダー１１０からそれぞれ供給されたデジタル映像信号および音声信号に対して、
選択的に所定のデジタル信号処理を施し、グラフィック処理部１１２および音声処理部１
１７に出力している。また、上記信号処理部１１１は、内蔵されたハードディスク（ＨＤ
Ｄ）などに記録されたコンテンツの再生時には、制御部１２１から入力されたコンテンツ
の再生信号を選択し、所定のデジタル信号処理を施し、グラフィック処理部１１２および
音声処理部１１７に出力している。
【００１９】
信号処理部１１１の中には、図示しないセクション処理部が含まれている。この図示し
ないセクション処理部の働きにより、信号処理部１１１は、ＴＳデコーダー１０５および
ＴＳデコーダー１１０からそれぞれ入力されたセクション情報の中から、番組を取得する
ための各種データや電子番組ガイド（ＥＰＧ）情報、番組属性情報（番組ジャンル等）、
字幕情報等（サービス情報、ＳＩやＰＳＩ）を制御部１２１へ出力する。
【００２０】
制御部１２１は、上記信号処理部１１１から入力された情報からＥＰＧ（Ｅｌｅｃｔｒ
ｏｎｉｃ  Ｐｒｏｇｒａｍ  Ｇｕｉｄｅ）や字幕を表示するため画像生成処理を行い、こ
の生成した画像情報をグラフィック処理部１１２へ出力する。
【００２１】
グラフィック処理部１１２は、（１）信号処理部１１１内の図示しないＡＶ（Ａｕｄｉ
ｏ  Ｖｉｓｕａｌ）デコーダーから供給されるデジタルの映像信号と、（２）ＯＳＤ（Ｏ
ｎ  Ｓｃｒｅｅｎ  Ｄｉｓｐｌａｙ）信号生成部１１３で生成されるＯＳＤ信号と、（３
）データ放送による画像データと、（４）制御部１２１により生成されたＥＰＧや字幕信
号とを合成して映像処理部１１４へ出力する。また、字幕放送による字幕を表示するとき
、グラフィック処理部１１２は、制御部１２１からの制御による字幕情報に基づき、映像
信号上に字幕情報を重畳する処理を行う。
【００２２】
映像処理部１１４は、入力されたデジタルの映像信号を、ディスプレイ１１５で表示可
能なフォーマットのアナログ映像信号に変換したのち、ディスプレイ１１５に表示して映
像表示させるとともに、出力端子１１６を介して外部に導出させる。
【００２３】
また、上記音声処理部１１７は、入力されたデジタルの音声信号を、スピーカー１１８
で再生可能なフォーマットのアナログ音声信号に変換した後、スピーカー１１８に出力し
て音声再生させるとともに、出力端子１１９を介して外部に導出させる。
【００２４】
ここで、この映像録画装置を内蔵したテレビジョン装置１００は、上述した各種の受信
動作を含むそのすべての動作を制御部１２１によって統括的に制御されている。この制御
部１２１は、ＣＰＵ（Ｃｅｎｔｒａｌ  Ｐｒｏｃｅｓｓｉｎｇ  Ｕｎｉｔ）等を内蔵して
おり、操作部１３３からの操作情報を受け、またはリモートコントローラ１３２から送出
された操作情報を受信部１３１を介して受信し、その操作内容が反映されるように各部を
それぞれ制御している。この場合、制御部１２１は、主としてそのＣＰＵが実行する制御
プログラムを格納したＲＯＭ（Ｒｅａｄ  Ｏｎｌｙ  Ｍｅｍｏｒｙ）と、該ＣＰＵに作業
領域を提供するＲＡＭ（Ｒａｎｄｏｍ  Ａｃｃｅｓｓ  Ｍｅｍｏｒｙ）と、各種の設定情
報および制御情報が格納される不揮発性メモリとを利用している。
【００２５】
この制御部１２１は、カードＩ／Ｆ（Ｉｎｔｅｒｆａｃｅ）１２８を介して、メモリカ
ード１３０が装着可能なカードホルダー１２９に接続されている。これにより、制御部１
２１は、カードホルダー１２９に装着されたメモリカード１３０と、カードＩ／Ｆ１２８
を介して情報伝送することができる。
【００２６】
また、この制御部１２１は、通信Ｉ／Ｆ１２６を介して通信端子１２７に接続されてい
る。この通信Ｉ／Ｆ１２６および通信端子１２７は、具体的には、たとえばＬＡＮ  Ｉ／
ＦおよびＬＡＮ端子、あるいはＵＳＢ  Ｉ／ＦおよびＵＳＢ端子などとして実装される。
これによりこの制御部１２１は、通信端子１２７に接続された各種の機器と通信Ｉ／Ｆ１
２６を介して情報伝送することができる。
【００２７】
さらにこの制御部１２１は、通信Ｉ／Ｆ１２２を介して内蔵ＨＤＤ１２３に接続されて
いる。これによりこの制御部１２１は、内蔵ＨＤＤ１２３と通信Ｉ／Ｆ１２２を介して情
報伝送することができる。具体的には、受信した放送番組を内蔵ＨＤＤ１２３に録画し、
また、内蔵ＨＤＤ１２３に録画された放送番組を再生して視聴することができる。
【００２８】
なお、この映像録画装置を内蔵したテレビジョン装置１００に接続可能なＨＤＤは、１
台であっても複数であってもかまわない。たとえば、通信Ｉ／Ｆ１２２を介して接続され
ている上記の内蔵ＨＤＤ１２３の他に、通信Ｉ／Ｆ１２４を介して内蔵ＨＤＤ１２５が別
途接続されていてもよい。また、これら接続された内蔵ＨＤＤ１２３および内蔵ＨＤＤ１
２５をそれぞれ別々の独立した記録媒体として取り扱ってもよいし、あるいは内蔵ＨＤＤ
１２３および内蔵ＨＤＤ１２５の記録容量を合算した一つの大容量の記録媒体とみなして
取り扱ってもよい。
【００２９】
図２は、地上デジタル放送のチャンネル初期スキャンの際に、同時にマルチ同時録画機
能のチャンネル設定を実施する処理のフローチャートである。
マルチ同時録画機能とは、同一時間帯に放送されている異なる放送局の番組を、並行し
て同時に録画する機能のことを指す。この場合、録画の対象となる放送局のチャンネルを
設定する必要があるが、放送局の数が多数に渡るため、設定処理が煩雑であるという問題
点がある。
【００３０】
ここで、地上デジタル放送を受信できるテレビジョン装置や映像録画再生装置では、装
置の利用開始に際し、その装置が設置されている地域で受信可能な地上デジタル放送局の
チャンネルを検出して自動的にチャンネルを設定するチャンネル初期スキャンを実施する
。
【００３１】
この図２のフローチャートでは、上記地上デジタル放送のチャンネル初期スキャンの際
に、受信チャンネルの設定と併せて、上記マルチ同時録画機能における録画対象となる放
送局のチャンネル設定を行う例を示す。従って、ここではマルチ同時録画機能における録
画対象は地上デジタル放送のみとなる。
【００３２】
まずステップＳ２０１で、チャンネルスキャンの開始チャンネルを番組表における最初
の地上デジタル放送局に指定する。
次にステップＳ２０２では、指定された放送局を受信する。
続いてステップＳ２０３では、問題なく受信できたか否かに基づいて処理を分岐してい
る。受信できなかった場合、後続のステップＳ２０４からステップＳ２０６までの一連の
処理をスキップしてステップＳ２０７へ進む。一方、受信できた場合は、後続のステップ
Ｓ２０４へ進む。
【００３３】
ステップＳ２０４では、問題なく受信できた放送局のチャンネルを、視聴するチャンネ
ルとして設定する。すなわち、地上デジタル放送の初期スキャンによる受信チャンネルの
設定処理である。
【００３４】
次のステップＳ２０５では、代表チャンネルであるか否かに基づいて処理を分岐してい
る。
デジタル放送では、個々の放送局が複数の番組を送信することが可能である。この場合、
各放送局に割り当てられた２桁の番号（上位２桁として使用）と、放送局が複数の番組を
送信する際に識別する１桁の番号（下位１桁として使用）を組み合わせた３桁のチャンネ
ル番号を使用する。この中で、前記放送局が識別に使用する１桁の番号、すなわち３桁の
チャンネル番号の最下位の番号が「１」であるチャンネルが、各放送局の代表チャンネル
となる。
【００３５】
代表チャンネルではない場合は、後続のステップＳ２０６をスキップしてステップＳ２
０７へ進む。一方、代表チャンネルである場合は、後続のステップＳ２０６へ進む。
【００３６】
続くステップＳ２０６では、受信できた放送局のチャンネルを、マルチ同時録画機能に
おける録画対象のチャンネルとしても設定する。すなわち、初期スキャンによって受信チ
ャンネルとして設定された放送局の、さらに代表チャンネルが、このステップＳ２０６の
処理によってマルチ同時録画機能における録画対象チャンネルとしても設定される。
【００３７】
ステップＳ２０７では、上記ステップＳ２０２で受信可否の調査対象とした放送局が、
番組表における最後の地上デジタル放送局であるか否かに基づいて処理を分岐する。番組
表の最後の地上デジタル放送局ではない場合はステップＳ２０８へ進んで受信する放送局
を切り換えたのち、上記ステップＳ２０２以降の一連の処理を繰り返す。一方、番組表の
最後の地上デジタル放送局である場合は、一連の処理を終了する。
【００３８】
以上、図２のフローチャートを使用して説明した手順に従って、地上デジタル放送の初
期スキャンでのチャンネル設定の結果をマルチ同時録画機能のチャンネル設定にも流用す
ることにより、マルチ同時録画機能の複数のチャンネル設定を別途実施する手間を省略で
き、ユーザーの利便性を向上させることができる。
【００３９】
また、図２のフローチャートで説明した手順に従うことで、番組表に表示されるチャン
ネル順序と同様の並び順でマルチ同時録画機能の複数のチャンネルを設定することができ
、ユーザーの違和感を低減することができて利便性を向上させることができる。
【００４０】
さらにまた、図２のフローチャートで説明した手順に従うことで、各放送局からの番組
送出で主に使用されている代表チャンネルを選択することにより、マルチ同時録画機能を
使用する際に放送を受信できない／録画できないというリスクを極力低減することができ
る。
【００４１】
図３は、マルチ同時録画機能の利用設定画面の一例を示す図である。
この画面は、この発明を適用した映像録画装置を内蔵したテレビジョン装置において、
たとえばメニュー画面上で適切なメニューを選択する等の操作によってディスプレイ上に
表示されるものである。この図３に例示する画面では、マルチ同時録画機能を利用するか
否かの設定と、マルチ同時録画機能を実行する時間帯の設定を行う。
【００４２】
この図３の例では、フォーカスを当てて［利用する］ボタン３０１を選択することによ
り、マルチ同時録画機能を利用する設定としている。また、マルチ同時録画機能を実行す
る時間帯については、ここでは［ゴールデンタイム］ボタン３０２を選択することにより
、１９：００から２０：００までの時間帯にマルチ同時録画機能を実行する設定としてい
る。もちろん、この例によらず、開始時間／終了時間を個別に設定してもよい。
【００４３】
図４は、マルチ同時録画機能のチャンネル設定画面の一例を示す図である。
先に図２のフローチャートを使用して説明したように、地上デジタル放送の初期スキャ
ンでのチャンネル設定の結果を流用することによって簡易にマルチ同時録画機能のチャン
ネル設定を行うことができるが、これをベースとした上で、ユーザーが任意にマルチ同時
録画機能の録画対象チャンネルの設定を変更することは可能である。この図４は、その操
作画面の一例である。
【００４４】
また、この図４では、マルチ同時録画機能で並行して同時に録画するチャンネル数を変
更することも可能である。図４の例では、最大で８チャンネルを同時に並行して録画する
ことができるものの、ここではそれをフルに使用せず、並行して同時に録画するチャンネ
ル数を６チャンネルに設定している。
【００４５】
なお、記録可能時間については、内蔵ＨＤＤの記録容量と並行して同時に録画するチャ
ンネル数から算出した時間が示される。
（実施形態２）
本発明による実施形態２を図５乃至図６を参照して説明する。実施形態１と共通する部
分は説明を省略する。
図５は、地上デジタル放送のチャンネル初期スキャンの際に、同時にマルチ同時録画機
能のチャンネル設定を実施する処理の変形例を示すフローチャートである。
先に述べたように、図４の設定画面において、マルチ同時録画機能で並行して同時に録
画するチャンネル数を設定することができるが、ここでは、地上デジタル放送のチャンネ
ル初期スキャンの結果を使用して設定したマルチ同時録画機能の録画対象チャンネル数が
前記図４の設定画面で設定した同時に録画するチャンネル数を下回る場合の処理について
述べている。
【００４６】
まずステップＳ５０１では、周回数として“１”を設定する。
続くステップＳ５０２で、チャンネルスキャンの開始チャンネルを番組表における最初
の地上デジタル放送局に指定する。
次にステップＳ５０３では、指定された放送局を受信する。
続いてステップＳ５０４では、問題なく受信できたか否かに基づいて処理を分岐してい
る。受信できなかった場合、後続のステップＳ５０５からステップＳ５０９までの一連の
処理をスキップしてステップＳ５１０へ進む。一方、受信できた場合は、後続のステップ
Ｓ５０５へ進む。
【００４７】
ステップＳ５０５では、問題なく受信できた放送局のチャンネルを、視聴するチャンネ
ルとして設定する。すなわち、地上デジタル放送の初期スキャンによる受信チャンネルの
設定処理である。
【００４８】
次のステップＳ５０６では、周回数が“１”であるか否かに基づいて処理を分岐する。
ここでは上記ステップＳ５０１で周回数を“１”としているので、まずは周回数＝＝１の
場合について述べる。周回数！＝１の場合については後述する。
【００４９】
ステップＳ５０６で周回数＝＝１の場合、続くステップＳ５０７では、代表チャンネル
であるか否かに基づいて処理を分岐している。代表チャンネルではない場合は、後続のス
テップＳ５０８をスキップしてステップＳ５１０へ進む。一方、代表チャンネルである場
合は、後続のステップＳ５０８へ進む。
【００５０】
続くステップＳ５０８では、受信できた放送局のチャンネルを、マルチ同時録画機能に
おける録画対象のチャンネルとしても設定する。すなわち、初期スキャンによって受信チ
ャンネルとして設定された放送局の、さらに代表チャンネルが、このステップＳ５０８の
処理によってマルチ同時録画機能における録画対象チャンネルとしても設定される。
【００５１】
次のステップＳ５１０では、上記ステップＳ５０３で受信可否の調査対象とした放送局
が、番組表における最後の地上デジタル放送局であるか否かに基づいて処理を分岐する。
番組表の最後の地上デジタル放送局ではない場合はステップＳ５１２へ進んで受信する放
送局を切り換えたのち、上記ステップＳ５０３以降の一連の処理を繰り返す。一方、番組
表の最後の地上デジタル放送局である場合は、続くステップＳ５１１へ進む。
【００５２】
ステップＳ５１１では、マルチ同時録画機能における録画対象チャンネルとして設定さ
れたチャンネル数が、先に図４で説明した設定画面で設定した同時に録画するチャンネル
数を下回るか否かに基づいて処理を分岐する。
【００５３】
ステップＳ５１１の判定の結果、マルチ同時録画機能における録画対象チャンネルとし
て設定されたチャンネル数が、先に図４で説明した設定画面で設定した同時に録画するチ
ャンネル数を下回る場合、ステップＳ５１３で周回数を１つアップデートしたのち、上記
ステップＳ５０２以降の一連の処理を繰り返す。
【００５４】
ここで、２順目以降の周回の場合、先に述べたステップＳ５０６では周回数！＝１と判断
して、ステップＳ５０７ではなくステップＳ５０９に進むことに注意が必要である。つま
り、２順目以降の場合、ステップＳ５０７における代表チャンネルであるか否かの判定処
理を行わないことになる。
【００５５】
ステップＳ５０９では、上記ステップＳ５０３で受信可否の調査対象とした放送局のチ
ャンネルを、前回以前の周回でマルチ同時録画機能における録画対象チャンネルとして既
に設定したか否かに基づいて処理を分岐している。既に録画対象チャンネルとして設定済
みの場合、ステップＳ５０８をスキップしてステップＳ５１０に進む。一方、まだマルチ
同時録画機能における録画対象チャンネルとして設定されていない場合、ステップＳ５０
８に進んで、受信できた放送局のチャンネルを、マルチ同時録画機能における録画対象の
チャンネルとしても設定する。
【００５６】
上記のステップＳ５１１の判定の結果、マルチ同時録画機能における録画対象チャンネ
ルとして設定されたチャンネル数が、先に図４で説明した設定画面で設定した同時に録画
するチャンネル数を下回らない場合は、一連の処理を終了する。
【００５７】
以上、図５のフローチャートを使用して説明した手順に従ってマルチ同時録画機能にお
ける録画対象のチャンネルの設定を行うことにより、各放送局の代表チャンネルだけでは
マルチ同時録画機能の複数のチャンネルが図４で設定した同時に録画するチャンネル数を
満たすことができない場合に、２順目として代表チャンネル以外のチャンネルも録画対象
のチャンネルとして設定することができ、ユーザーの利便性を向上させることができる。
【００５８】
図６は、マルチ同時録画機能のチャンネル設定画面の変形例を示す図である。
ここでは、マルチ同時録画機能で同時に録画するチャンネル数を８チャンネルと設定し
ているものの、各放送局の代表チャンネル（チャンネル番号の最下位の番号が「１」）だ
けではその８チャンネルを下回っていたが、先に図５のフローチャートを使用して説明し
た手順に従って代表チャンネル以外のチャンネル（チャンネル番号の最下位の番号が「１
」以外）もマルチ同時録画機能の録画対象チャンネルとすることができている。
【００５９】
（実施形態３）
本発明による実施形態３を図７及び図８を参照して説明する。実施形態１、２と共通す
る部分は説明を省略する。
図７は、地上デジタル放送のチャンネル初期スキャンの際に、同時にマルチ同時録画機
能のチャンネル設定を実施する処理の更に別の変形例を示すフローチャートである。
【００６０】
先に述べたように、図４の設定画面において、マルチ同時録画機能で並行して同時に録
画するチャンネル数を設定することができるが、ここでは、地上デジタル放送のチャンネ
ル初期スキャンの結果を使用して設定したマルチ同時録画機能の録画対象チャンネル数が
前記図４の設定画面で設定した同時に録画するチャンネル数を上回る場合の処理について
述べている。
【００６１】
まずステップＳ７０１で、チャンネルスキャンの開始チャンネルを番組表における最初
の地上デジタル放送局に指定する。
次にステップＳ７０２では、指定された放送局を受信する。
続いてステップＳ７０３では、問題なく受信できたか否かに基づいて処理を分岐してい
る。受信できなかった場合、後続のステップＳ７０４からステップＳ７０８までの一連の
処理をスキップしてステップＳ７０９へ進む。一方、受信できた場合は、後続のステップ
Ｓ７０４へ進む。
【００６２】
ステップＳ７０４では、問題なく受信できた放送局のチャンネルを、視聴するチャンネ
ルとして設定する。すなわち、地上デジタル放送の初期スキャンによる受信チャンネルの
設定処理である。
【００６３】
次のステップＳ７０５では、代表チャンネルであるか否かに基づいて処理を分岐してい
る。
代表チャンネルではない場合は、後続のステップＳ７０６からステップＳ７０８までの
一連の処理をスキップしてステップＳ７０９へ進む。一方、代表チャンネルである場合は
、後続のステップＳ７０６へ進む。
【００６４】
ステップＳ７０６では、マルチ同時録画機能における録画対象の設定済みのチャンネル
数が、前記図４の設定画面で設定した同時に録画するチャンネル数を上回るか否かに基づ
いて処理を分岐する。上回らない場合は、続くステップＳ７０７の処理をスキップしてス
テップＳ７０８へ進む。一方、上回る場合は続くステップＳ７０７へ進む。
【００６５】
ここで、テレビジョン装置のリモコンには、アナログ放送の時代から個々の地上波放送
局を対応付けたチャンネルボタンが設けられているのが一般的であり、ユーザーがボタン
一つの簡易な操作で視聴する放送局の切り替えを行うことが可能となっている。現在でも
アナログ放送の時代と同様に、チャンネルボタンの１番から１２番までの１２個のポジシ
ョンのそれぞれに地上波デジタル放送局を対応付けて同様の簡便な放送局切り替え操作の
実現を図っている。通常、この１２ポジションのチャンネルボタンには、いわゆる全国ネ
ットのキー放送局に加えて、ローカル放送局として、例えば地元の独立UHF放送局などを
割り当てる。テレビジョン装置を使用する際の初期設定の一環として、該テレビジョン装
置の設置場所の地域情報を設定しており、これに基づいて地元のローカル放送局をリモコ
ンの１２ポジションのチャンネルボタンに割り当てている。
【００６６】
ステップＳ７０７では、上記ステップＳ７０２で受信可否の調査対象とした放送局のチ
ャンネルがリモコンの１２ポジションの中に登録されているか否かに基づいて処理を分岐
している。登録されていない場合、続くステップＳ７０８をスキップしてステップＳ７０
９へ進む。一方、登録されているチャンネルである場合、続くステップＳ７０８へ進む。
【００６７】
続くステップＳ７０８では、受信できた放送局のチャンネルを、マルチ同時録画機能に
おける録画対象のチャンネルとしても設定する。すなわち、初期スキャンによって受信チ
ャンネルとして設定された放送局の、さらに代表チャンネルが、このステップＳ７０８の
処理によってマルチ同時録画機能における録画対象チャンネルとしても設定される。
【００６８】
ステップＳ７０９では、上記ステップＳ７０２で受信可否の調査対象とした放送局が、
番組表における最後の地上デジタル放送局であるか否かに基づいて処理を分岐する。番組
表の最後の地上デジタル放送局ではない場合はステップＳ７１０へ進んで受信する放送局
を切り換えたのち、上記ステップＳ７０２以降の一連の処理を繰り返す。一方、番組表の
最後の地上デジタル放送局である場合は、一連の処理を終了する。
【００６９】
以上、図７のフローチャートを使用して説明した手順に従ってマルチ同時録画機能にお
ける録画対象のチャンネルの設定を行うことにより、各放送局の代表チャンネルだけでは
マルチ同時録画機能の複数のチャンネルが図４で設定した同時に録画するチャンネル数を
上回ってしまう場合に、リモコンのチャンネルボタンに登録されている放送局のチャンネ
ルに従うことにより、たとえば地元の独立ＵＨＦ局を優先選択するなどの合理的なチャン
ネル選択で録画対象のチャンネルを設定することができ、ユーザーの利便性を向上させる
ことができる。
【００７０】
図８は、マルチ同時録画機能のチャンネル設定画面の更に別の変形例を示す図である。
ここでは、マルチ同時録画機能で同時に録画するチャンネル数を８チャンネルと設定し
ているものの、これを上回るチャンネル数を録画対象としてしまう恐れがあったが、地元
の独立ＵＨＦ局を優先選択するなどの合理的なチャンネル選択によって設定した同時に録
画するチャンネル数に収めることができている。
【００７１】
以上、図面を使用して説明したように、映像録画装置の初期スキャンにおけるチャンネ
ル設定の結果をマルチ同時録画機能のチャンネル設定にデフォルトとして流用することに
よって、実施形態の効果として、マルチ同時録画機能の複数のチャンネル設定を別途実施
する手間を省略することができ、ユーザーの利便性を向上させることができる。
【００７２】
なお、この発明は上記実施形態に限定されるものではなく、この外その要旨を逸脱しな
い範囲で種々変形して実施することができる。
また、上記した実施の形態に開示されている複数の構成要素を適宜に組み合わせること
により、種々の発明を形成することができる。例えば、実施の形態に示される全構成要素
から幾つかの構成要素を削除しても良いものである。さらに、異なる実施の形態に係る構
成要素を適宜組み合わせても良いものである。
【符号の説明】
【００７３】
１００…テレビジョン装置、１０１…アンテナ、１０２…入力端子、１０３…チューナ
ー、１０４…ＯＦＤＭデコーダー、１０５…ＴＳデコーダー、１０６…アンテナ、１０７
…入力端子、１０８…チューナー、１０９…ＰＳＫデコーダー、１１０…ＴＳデコーダー
、１１１…信号処理部、１１２…グラフィック処理部、１１７…音声処理部、１２１…制
御部、１２２…通信Ｉ／Ｆ、１２３…ＨＤＤ、１２４…通信Ｉ／Ｆ、１２５…ＨＤＤ、１
２６…通信Ｉ／Ｆ、１２７…通信端子、１２８…カードＩ／Ｆ、１２９…カードホルダー
、１３０…メモリカード、１３１…受信部、１３２…リモートコントローラ、１３３…操
作部。
【図１】
2011044929.tif 000003
【図２】
2011044929.tif 000004
【図３】
2011044929.tif 000005
【図４】
2011044929.tif 000006
【図５】
2011044929.tif 000007
【図６】
2011044929.tif 000008
【図７】
2011044929.tif 000009
【図８】
2011044929.tif 000010
【手続補正書】
【提出日】平成22年10月7日(2010.10.7)
【手続補正１】
【補正対象書類名】特許請求の範囲
【補正対象項目名】全文
【補正方法】変更
【補正の内容】
【特許請求の範囲】
【請求項１】
視聴可能な地上波デジタル放送局のチャンネルを自動的に設定する初期スキャン処理を実施する初期スキャン処理手段と、
該設定された地上波デジタル放送局のチャンネルを、同一時間帯に放送されている複数の番組の並列録画機能の録画対象のチャンネルの設定に用いるチャンネル設定手段と、
該設定されたチャンネルの録画対象を録画する録画手段とを
備え、
前記チャンネル設定手段は、前記同一時間帯に放送されている複数の番組の並列録画機能の録画対象のチャンネルを設定する際、電子番組表における放送局の並び順に従って前記録画対象のチャンネルを設定することを特徴とする映像録画装置。
【請求項２】
前記チャンネル設定手段は、前記同一時間帯に放送されている複数の番組の並列録画機能の録画対象のチャンネルを設定する際、放送局が複数の番組を複数のチャンネルとして放送している場合、この複数のチャンネルから代表チャンネルを選択して設定することを特徴とする請求項１に記載の映像録画装置。
【請求項３】
前記チャンネル設定手段は、前記同一時間帯に放送されている複数の番組の並列録画機能の録画対象のチャンネルの設定可能数がある決められた数である場合に、前記請求項１または請求項２に記載された手順を実施して設定される前記並列録画機能の録画対象のチャンネル数が前記決められた数を下回る際には、放送局の代表チャンネル以外のチャンネルも前記並列録画機能の録画対象のチャンネルとして設定することを特徴とする請求項１または請求項２に記載の映像録画装置。
【請求項４】
前記チャンネル設定手段は、前記同一時間帯に放送されている複数の番組の並列録画機能の録画対象のチャンネルの設定可能数がある決められた数である場合に、前記請求項１または請求項２に記載された手順を実施して設定される前記並列録画機能の録画対象のチャンネル数が前記決められた数を上回る際には、映像録画装置のリモコンのチャンネルボタンに登録されている放送局のチャンネルを前記並列録画機能の録画対象のチャンネルとして設定することを特徴とする請求項１または請求項２に記載の映像録画装置。
【請求項５】
更に地上波デジタル放送を選局するチューナーを備えた請求項１ないし請求項４に記載の映像録画装置。
【請求項６】
視聴可能な地上波デジタル放送局のチャンネルを自動的に設定する初期スキャン処理を実施する初期スキャン処理手段と、該設定された地上波デジタル放送局のチャンネルを、同一時間帯に放送されている複数の番組の並列録画機能の録画対象のチャンネルの設定に用いるチャンネル設定手段と、該設定されたチャンネルの録画対象を録画する録画手段とを備えた映像録画装置における映像録画方法であって、
前記初期スキャン処理手段で、前記初期スキャン処理を実施し、
前記チャンネル設定手段で、前記同一時間帯に放送されている複数の番組の並列録画機能の録画対象のチャンネルを設定する際、電子番組表における放送局の並び順に従って前記録画対象のチャンネルを設定し、
前記録画手段で、該設定されたチャンネルの録画対象を録画する
ことを特徴とする映像録画方法。